(57)【要約】      （修正有）【課題】自動上昇装置でセグメントを積み重ねる際に、同時にセグメントの積層位置を矯正する手段を設計して、セグメント位置を矯正する時間を省く他に、さらに積層構造の安定性を強化することができる建築工事用のセグメント矯正機能を備えた上昇装置を提供する。【解決手段】第１セグメント１０５を囲繞する複数本の柱状体、前記複数本の柱状体と垂直になって前記少なくとも１つのセグメントに固着する少なくとも２つの横向プラットフォ−ム１０３，１０４，３０２、前記複数本の柱状体に設置され第１セグメントと第２セグメント１０６の位置合せのサポートをする外部に傾斜した頂部、駆動手段とを含み、前記少なくとも２つの横向プラットフォ−ムを駆動して前記複数本の柱状体、前記少なくとも２つの横向プラットフォ−ム及び前記外部に傾斜した頂部を第１セグメント上で上昇させる。【選択図】図３
0003157702.tif 000002
【実用新案登録請求の範囲】
【請求項１】
建築工事用のセグメント矯正機能を備えた上昇装置であって、
第１セグメントを囲繞する複数本の柱状体と、
前記複数本の柱状体と垂直になった少なくとも２つの横向プラットフォ−ムと、
前記複数本の柱状体に設置され第１セグメントと第２セグメントの位置合せのサポートをする外部に傾斜した頂部と、
前記少なくとも２つの横向プラットフォ−ムを駆動して前記複数本の柱状体、前記少なくとも２つの横向プラットフォ−ム及び前記外部に傾斜した頂部を第１セグメント上で上昇させる駆動手段と、
を含むことを特徴とする建築工事用のセグメント矯正機能を備えた上昇装置。
【請求項２】
前記駆動手段はプッシュアップ又はプルアップ方式で上昇させることを特徴とする請求項1に記載の上昇装置。
【請求項３】
前記複数本の柱状体はさらにタワークレーンと組合せて前記複数本の柱状体の頂部に組み立てて使用することを特徴とする請求項1に記載の上昇装置。
【考案の詳細な説明】
【技術分野】
【０００１】
本考案は建築工事用のセグメント矯正機能を備えた上昇装置に関する。
【背景技術】
【０００２】
セグメントを積み重ねる建築技術は長い年月を経て、従来の実体セグメント積層から後の薄肉セグメント積層に至るまで、運搬面でかなり便利で迅速となった以外に、積層難度や危険度も相当低下している。しかし、このようになっても、これまでもセグメントを積み重ねる際に片寄るといった状況が見られ、積み重ねられた柱状構造は安定せず、こうなると建築物の不安定性を招くことともなる。本考案はセグメントを積み重ねる際に、セグメントの位置が揃わない問題を解決すると共に、構造が不安定な問題をも解決する。
【考案の概要】
【考案が解決しようとする課題】
【０００３】
本考案の目的は自動上昇装置でセグメントを積み重ねる際に、同時にセグメントの積層位置を矯正する手段を設計して、セグメント位置を矯正する時間を省く他に、さらに積層構造の安定性を強化することができることである。
【課題を解決するための手段】
【０００４】
本考案の建築工事用のセグメント矯正機能を備えた上昇装置は、第１セグメントを囲繞する複数本の柱状体と、前記複数本の柱状体と垂直になった少なくとも２つの横向プラットフォ−ムと、前記複数本の柱状体に設置され第１セグメントと第２セグメントの位置合せのサポートをする外部に傾斜した頂部と、前記少なくとも２つの横向プラットフォ−ムを駆動して前記複数本の柱状体、前記少なくとも２つの横向プラットフォ−ム及び前記外部に傾斜した頂部を第１セグメント上に上昇させる駆動手段とを含むことを特徴とする。
【図面の簡単な説明】
【０００５】
【図１】本考案によるセグメント矯正機能を備えた上昇装置が第２セグメントを第１セグメントに積み重ねたときの概略図である。
【図２】本考案によるセグメント矯正機能を備えた上昇装置が第２セグメントを第１セグメントに積み重ねた後の概略図である。
【図３】本考案によるタワークレーンを組合せて使用した建築工事用のセグメント矯正機能を備えた上昇装置がセグメントを積み重ねた概略図である。
【図４】本考案によるタワークレーンを組合せて使用した建築工事用のセグメント矯正機能を備えた上昇装置がセグメントを積み重ねたときの側面断面図である。
【図５】本考案によるタワークレーンを組合せて使用した建築工事用のセグメント矯正機能を備えた上昇装置がセグメントを積み重ねた後の側面断面図である。
【考案を実施するための形態】
【０００６】
図１に示すように、前記上昇装置１００はセグメントに固着された複数本の柱状体１０１を有し、複数本の柱状体１０１は例えば、スチール、鉄、合金及びその他の形式による金属のような、どんな荷重作業重量にも充分なで材料で製造することができる。また、釘打ち、螺接及び係合等の方法のような方法でもセグメントに固着することができる。各柱状体の頂部は第２セグメント１０６の載置方向と特定の角度を挟む外部に傾斜した梁と連接して外部に傾斜した頂部１０７を形成し、これらの外部に傾斜した梁の各内側に起重設備を設置し、第２セグメント１０６が第１セグメント１０５に積み重ねられると、第２セグメント１０６の位置を矯正する矯正装置１０８を使用して一層安定した積層構造を得る。この積層方法は横向又はその他の方向等の方法も採用することができる。
【０００７】
第２セグメント１０６は可能であればどんな懸架又はプッシュアップ方式によってでも、積層構造に固定した上昇装置１００の上方に位置を移動させ、続いて上昇装置１００の外部に傾斜した頂部１０７で囲繞した範囲内に第２セグメント１０６を載置すると、上昇装置１００の外部に傾斜した頂部１０７がセグメントを下方移動する際、セグメントの横方向位置を矯正して第１セグメント１０５との位置を揃えることができ、第２セグメント１０６を第１セグメント１０５に載置すると、第１セグメント１０５と第２セグメント１０６の横方向の最大誤差は複数本の柱状体１０１と積層構造との間の間隙となる。
【０００８】
図２で示すように、積層終了後、外部に傾斜した梁の内側の矯正装置１０８によって第２セグメント１０６と第１セグメント１０５の誤差に応じて第２セグメント１０６の側面から横方向にプッシュして、第２セグメント１０６と第１セグメント１０５の誤差を縮小して、最後の積層ステップを完成させる。このうち、矯正装置１０８はジャッキ又はその他の類似した起重装置でよい。続いて、この上昇装置１００は積層構造の積層方向の末端に上昇して、積層構造が必要な高さと長さになるまで上記の操作を繰り返して行う。上昇方法はプッシュアップ、プルアップ及び位置決めレール又はその他の類似した方法で達成することができる。また、この上昇装置１００は少なくとも２つの横向プラットフォ−ムでプッシュアップやプルアップする目的を達することが必要である。第１横向プラットフォ−ム１０３は第２横向プラットフォ−ム１０４と積層構造を固定するのに提供される反力を利用して、第２横向プラットフォ−ム１０４に接近した位置までプルアップすると共に、続いて第１横向プラットフォ−ム１０３を固定して第２横向プラットフォ−ム１０４が上昇する反力を提供し、このような反復動作でプッシュアップやプルアップする目的を達する。
【０００９】
図３に示すように、前記上昇装置３００はタワークレーン３０１を組合せて使用した建築工事用のセグメント矯正機能を備えた上昇装置３００である。この上昇装置３００は図１、図２で示した上昇装置１００の変型である。図３に示す上昇装置３００はレール３０３とガイド部材３０５とを組み合わせて作動させて上昇目的を達する。
【００１０】
前記上昇装置３００の上昇の際の作動方法は、２つのパートと看做すことができる。第１パートはレール３０３とガイド部材３０５で、第２パートはタワークレーン３０１、トラス３０４、第１横向プラットフォ−ム１０３、第２横向プラットフォ−ム１０４及び第３横向プラットフォ−ム３０２である。レール３０３とガイド部材３０５は移動して連結することができ、まずレール３０３とガイド部材３０５を互いにロックして積層構造に固着させた後、駆動装置によって第２パートのタワークレーン３０１、トラス３０４、第１横向プラットフォ−ム１０３、第２横向プラットフォ−ム１０４及び第３横向プラットフォ−ム３０２をレール３０３に沿って全体を上方移動させるが、駆動装置はジャッキ、クレーン、ロールシャフトやその他の同様な作用を提供できる機材のような反力を提供できる装置でよい。この上昇装置３００が第２パートを必要な位置に押し上げると、続いて第２パートを積層構造に固着し、同一又は別の駆動手段によって第１パートのレール３０３を必要な高さまで上昇させ、レール３０３の滑動距離に応じて最下端のガイド部材３０５をレール３０３の上端に上方移動させる必要が有るか否かを判断し、レール３０３を安定させて、上記ステップを繰り返すことによってこの上昇装置３００が上昇する目的を達する。ガイド部材３０５の数量と駆動装置の設計は実際の状況に応じて変更することができるものの、上記の例に限らないことを指摘しておく必要がある。また、組合せて使用するタワークレーン３０１は任意のセット数のトラス３０４を備えたタワークレーン３０１でよい。
【００１１】
図４に示すように、この上昇装置３００のセグメント矯正手段はレール３０３上端に第２セグメント１０６の載置方向と特定の角度を挟む楔形構造４０１を設置して外部に傾斜した頂部を形成する。上昇装置３００は適度な高度に調整されると、タワークレーン３０１がセグメントの積層ステップ開始し、タワークレーン３０１が第２セグメント１０６を第１セグメント１０５上に載置する際、第２セグメント１０６が第１セグメント１０５の位置に揃っていないと、第２セグメント１０６はレール３０３上端の楔形構造４０１に抵触することから、下方移動する方向を矯正することによって第１セグメント１０５の位置合わせをすることができ、セグメントを矯正するという目的を達することができる。図５は本考案によるタワークレーンを組合せて使用した建築工事用のセグメント矯正機能を備えた上昇装置がセグメントに積み重ねた後の側面断面図である。図５は上昇装置３００が第２セグメント１０６を第１セグメント１０５に載置して、積層を精確に完了させた状況を示している。
【符号の説明】
【００１２】
１００  セグメント矯正機能を備えた上昇装置
１０１  複数本の柱状体
１０３  第１横向プラットフォ−ム
１０４  第２横向プラットフォ−ム
１０５  第１セグメント
１０６  第２セグメント
１０７  外部に傾斜した頂部
１０８  矯正装置
３００  タワークレーン上昇装置
３０１  タワークレーン
３０２  第３横向プラットフォ−ム
３０３  レール
３０４  トラス
３０５  ガイド部材
４０１  楔形構造
【図１】
0003157702.tif 000003
【図２】
0003157702.tif 000004
【図３】
0003157702.tif 000005
【図４】
0003157702.tif 000006
【図５】
0003157702.tif 000007